【手続補正書】
【提出日】平成28年8月29日(2016.8.29)
【手続補正１】
【補正対象書類名】特許請求の範囲
【補正対象項目名】請求項１
【補正方法】変更
【補正の内容】
【請求項１】
シート状の紙製ブランクにより形成されたカートンに用いるカートン用ジッパーであって、
第１切れ目線と第２切れ目線とを有し、
第１切れ目線が、複数の第１切込み（１０、２０）を間隔を介して列状に配設してなり、
第１切込みが、
第１傾斜部（１２、２２）と、第１傾斜部の一方の端部である第１接触点（ｍ１２、ｍ２２）から形成された第２傾斜部（１４、２４）と、第２傾斜部の第１接触点とは反対側の端部である第２接触点（ｍ１３、ｍ２３）から形成された直線部（１６、２６）とを有し、第１傾斜部が、第１傾斜部の他方の端部である第１端部（ｍ１１、ｍ２１）と第１接触点間に直線状に形成され、第２傾斜部が、第１接触点と第２接触点間に直線状に形成され、直線部が、第２接触点と直線部の第２接触点とは反対側の端部である第２端部（ｍ１４、ｍ２４）間に直線状にジッパー開封方向に沿って形成され、第２接触点が第２端部よりもジッパー開封方向において前側にあり、
第１端部と第１接触点とが、直線部のジッパー開封方向において前側への仮想延長線である第１仮想延長線（ｅ１６、ｅ２６）を介して両側に配置され、
直線部のジッパー開封方向への仮想延長線である第２仮想延長線（ｆ１６、ｆ２６）がジッパー開封方向において後側に隣接する他の第１切込みの第１傾斜部と交わり、
第１傾斜部が、第１端部が第１接触点よりもジッパー開封方向において前側に位置するように第１仮想延長線に対して傾斜して形成され、
第１傾斜部の該第１仮想延長線との間の鋭角の角度（α１１、α２１）が、第２傾斜部の該第１仮想延長線との間の鋭角の角度（α１２、α２２）よりも大きく形成され、
第１傾斜部と第２傾斜部間の角度で、第１端部と第２接触点とを結ぶ仮想直線（１８、２８）側の角度（α１３、α２３）が直角以下であり、
第２切れ目線が、第１切れ目線との間の中心線を介して対称形状に形成され、第２切れ目線が、複数の第２切込み（２０、１０）を間隔を介して列状に配設してなり、第２切れ目線における各第２切込みが該中心線を介して第１切れ目線における第１切込みと対称形状に形成されていることを特徴とするカートン用ジッパー。
【手続補正２】
【補正対象書類名】特許請求の範囲
【補正対象項目名】請求項３
【補正方法】変更
【補正の内容】
【請求項３】
シート状の紙製ブランクにより形成されたカートンに用いるカートン用ジッパーであって、
第１切れ目線と第２切れ目線とを有し、
第１切れ目線が、複数の第１切込み（１０）を間隔を介して列状に配設してなり、
第１切込みが、
第１傾斜部（１２）と、第２傾斜部（１４）と、直線部（１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（１３）と、第２傾斜部の他方の端部である第３接触点（ｍ１３ａ）と直線部の一方の端部である第４接触点（ｍ１３ｂ）間に形成された第２アール部で、第３接触点で第２傾斜部と接するとともに第４接触点で直線部と接する第２アール部（１５）とを有し、
第１傾斜部が、第１傾斜部の他方の端部である第１端部（ｍ１１）と第１接触点間に直線状に形成され、
第２傾斜部が、第２接触点と第３接触点間に直線状に形成され、
直線部が、第４接触点と直線部の第４接触点とは反対側の端部である第２端部（ｍ１４）間に直線状にジッパー開封方向に沿って形成され、第４接触点が第２端部よりもジッパー開封方向において前側にあり、
第１端部と第１接触点とが、直線部のジッパー開封方向において前側への仮想延長線である第１仮想延長線（ｅ１６）を介して両側に配置され、
直線部のジッパー開封方向への仮想延長線である第２仮想延長線（ｆ１６）がジッパー開封方向において後側に隣接する他の第１切込みの第１傾斜部と交わり、
第１傾斜部が、第１端部が第１接触点よりもジッパー開封方向において前側に位置するように第１仮想延長線に対して傾斜して形成され、
第２傾斜部の一方の端部である第２接触点は、第２傾斜部の他方の端部である第３接触点よりもジッパー開封方向において前側に位置し、
第１傾斜部の該第１仮想延長線との間の鋭角の角度（α１１）が、第２傾斜部の第３接触点からの第３仮想延長線（ｅ１４）の該第１仮想延長線との間の鋭角の角度（α１２）よりも大きく形成され、
第１傾斜部と第２傾斜部間の角度で、第１仮想延長線と第３仮想延長線の交点（ｍ１３’）と第１端部とを結ぶ仮想直線（１８）側の角度（α１３）が直角以下であり、
第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とするカートン用ジッパー。
【手続補正３】
【補正対象書類名】特許請求の範囲
【補正対象項目名】請求項４
【補正方法】変更
【補正の内容】
【請求項４】
シート状の紙製ブランクにより形成されたカートンに用いるカートン用ジッパーであって、
第１切れ目線と第２切れ目線とを有し、
第１切れ目線が、複数の第１切込み（１０）を間隔を介して列状に配設してなり、
第１切込みが、
第１傾斜部（１２）と、第２傾斜部（１４）と、直線部（１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（１３）とを有し、
第１傾斜部が、第１傾斜部の他方の端部である第１端部（ｍ１１）と第１接触点間に直線状に形成され、
第２傾斜部が、第２接触点と第３接触点間に直線状に形成され、
直線部が、第２傾斜部の第２接触点とは反対側の端部である第３接触点（ｍ１３）から形成され、第３接触点と直線部の第３接触点とは反対側の端部である第２端部（ｍ１４）間に直線状にジッパー開封方向に沿って形成され、第３接触点が第２端部よりもジッパー開封方向において前側にあり、
第１端部と第１接触点とが、直線部のジッパー開封方向において前側への仮想延長線である第１仮想延長線（ｅ１６）を介して両側に配置され、
直線部のジッパー開封方向への仮想延長線である第２仮想延長線（ｆ１６）がジッパー開封方向において後側に隣接する他の第１切込みの第１傾斜部と交わり、
第１傾斜部が、第１端部が第１接触点よりもジッパー開封方向において前側に位置するように第１仮想延長線に対して傾斜して形成され、
第１傾斜部の該第１仮想延長線との間の鋭角の角度（α１１）が、第２傾斜部の該第１仮想延長線との間の鋭角の角度（α１２）よりも大きく形成され、
第１傾斜部と第２傾斜部間の角度で、第３接触点と第１端部とを結ぶ仮想直線（１８）側の角度（α１３）が直角以下であり、
第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とするカートン用ジッパー。
【手続補正４】
【補正対象書類名】特許請求の範囲
【補正対象項目名】請求項１１
【補正方法】変更
【補正の内容】
【請求項１１】
シート状の紙製ブランクにより形成されたカートンに用いるカートン用ジッパーであって、
第１切れ目線と第２切れ目線とを有し、
第１切れ目線が、複数の第１切込み（６０、７０）を間隔を介して列状に配設してなり
、
第１切込みが、
第１傾斜部（６２、７２）と、第１傾斜部の一方の端部である第１接触点（ｍ６２、ｍ７２）から形成された第２傾斜部（６４、７４）と、第２傾斜部の第１接触点とは反対側の端部である第２接触点（ｍ６３、ｍ７３）から形成された直線部（６６、７６）とを有し、第１傾斜部が、第１傾斜部の他方の端部である第１端部（ｍ６１、ｍ７１）と第１接触点間に直線状に形成され、第２傾斜部が、第１端部側とは反対側に膨出した円弧状に形成され、直線部が、第２接触点と直線部の第２接触点とは反対側の端部である第２端部（ｍ６４、ｍ７４）間に直線状にジッパー開封方向に沿って形成され、第２接触点が第２端部よりもジッパー開封方向において前側にあり、
第１端部と第１接触点とが、直線部のジッパー開封方向において前側への仮想延長線である第１仮想延長線（ｅ６６、ｅ７６）を介して両側に配置され、
直線部のジッパー開封方向への仮想延長線である第２仮想延長線（ｆ６６、ｆ７６）がジッパー開封方向において後側に隣接する他の第１切込みの第１傾斜部と交わり、
第１傾斜部が、第１端部が第１接触点よりもジッパー開封方向において前側に位置するように第１仮想延長線に対して傾斜して形成され、
第２傾斜部の一方の端部である第１接触点は、第２傾斜部の他方の端部である第２接触点よりもジッパー開封方向において前側に位置し、
第１傾斜部の該第１仮想延長線との間の鋭角の角度（α６１、α７１）が、第２傾斜部の第２接触点における接線（６４−１’、７４−１’）の該第１仮想延長線との間の鋭角の角度（α６２、α７２）よりも大きく形成され、
第１傾斜部と第２傾斜部間の角度で、第１端部と第２接触点とを結ぶ仮想直線（６８、７８）側の角度（α６３、α７３）が直角以下であり、
第２切れ目線が、第１切れ目線との間の中心線を介して対称形状に形成され、第２切れ目線が、複数の第２切込み（７０、６０）を間隔を介して列状に配設してなり、第２切れ目線における各第２切込みが該中心線を介して第１切れ目線における第１切込みと対称形状に形成されていることを特徴とするカートン用ジッパー。
【手続補正５】
【補正対象書類名】特許請求の範囲
【補正対象項目名】請求項１３
【補正方法】変更
【補正の内容】
【請求項１３】
シート状の紙製ブランクにより形成されたカートンに用いるカートン用ジッパーであって、
第１切れ目線と第２切れ目線とを有し、
第１切れ目線が、複数の第１切込み（６０）を間隔を介して列状に配設してなり、
第１切込みが、
第１傾斜部（６２）と、第２傾斜部（６４）と、直線部（６６）と、第１傾斜部の一方の端部である第１接触点（ｍ６２ａ）と第２傾斜部の一方の端部である第２接触点（ｍ６２ｂ）間に形成されたアール部で、第１接触点で第１傾斜部と接するとともに第２接触点で第２傾斜部と接するアール部（６３）と、第２傾斜部の他方の端部である第３接触点（ｍ６３ａ）と直線部の一方の端部である第４接触点（ｍ６３ｂ）間に形成された第２アール部で、第３接触点で第２傾斜部と接するとともに第４接触点で直線部と接する第２アール部（６５）とを有し、
第１傾斜部が、第１傾斜部の他方の端部である第１端部（ｍ６１）と第１接触点間に直線状に形成され、
第２傾斜部が、第２接触点と第３接触点間に第１端部側とは反対側に膨出した円弧状に形成され、
直線部が、第４接触点と直線部の第４接触点とは反対側の端部である第２端部（ｍ６４）間に直線状にジッパー開封方向に沿って形成され、第４接触点が第２端部よりもジッパ
ー開封方向において前側にあり、
第１端部と第１接触点とが、直線部のジッパー開封方向において前側への仮想延長線である第１仮想延長線（ｅ６６）を介して両側に配置され、
直線部のジッパー開封方向への仮想延長線である第２仮想延長線（ｆ６６）がジッパー開封方向において後側に隣接する他の第１切込みの第１傾斜部と交わり、
第１傾斜部が、第１端部が第１接触点よりもジッパー開封方向において前側に位置するように第１仮想延長線に対して傾斜して形成され、
第２傾斜部の一方の端部である第２接触点は、第２傾斜部の他方の端部である第３接触点よりもジッパー開封方向において前側に位置し、
第１傾斜部の該第１仮想延長線との間の鋭角の角度（α６１）が、第２傾斜部の第３接触点からの仮想延長線で第２傾斜部と同一曲率の仮想延長線である第３仮想延長線（６４−１）の該第１仮想延長線との交点（ｍ６３’）における第３仮想延長線の接線（６４−１’）の該第１仮想延長線との間の鋭角の角度（α６２）よりも大きく形成され、
第１傾斜部の第１接触点からの仮想延長線である第４仮想延長線（６２−１）と、第２傾斜部の第２接触点からの仮想延長線で第２傾斜部と同一曲率の仮想延長線である第５仮想延長線（６４−２）の第４仮想延長線との交点における第５仮想延長線の接線（６４−２’）との間の角度で、第１仮想延長線と第３仮想延長線との交点（ｍ６３’）と第１端部とを結ぶ仮想直線（６８）側の角度（α６３）が直角以下であり、
第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とするカートン用ジッパー。
【手続補正６】
【補正対象書類名】特許請求の範囲
【補正対象項目名】請求項１４
【補正方法】変更
【補正の内容】
【請求項１４】
シート状の紙製ブランクにより形成されたカートンに用いるカートン用ジッパーであって、
第１切れ目線と第２切れ目線とを有し、
第１切れ目線が、複数の第１切込み（６０）を間隔を介して列状に配設してなり、
第１切込みが、
第１傾斜部（６２）と、第２傾斜部（６４）と、直線部（６６）と、第１傾斜部の一方の端部である第１接触点（ｍ６２ａ）と第２傾斜部の一方の端部である第２接触点（ｍ６２ｂ）の間に形成されたアール部で、第１接触点で第１傾斜部と接するとともに第２接触点で第２傾斜部と接するアール部（６３）とを有し、
第１傾斜部が、第１傾斜部の他方の端部である第１端部（ｍ６１）と第１接触点間に直線状に形成され、
第２傾斜部が、第２接触点と第３接触点間に第１端部側とは反対側に膨出した円弧状に形成され、
直線部が、第２傾斜部の第２接触点とは反対側の端部である第３接触点（ｍ６３）から形成され、第３接触点と直線部の第３接触点とは反対側の端部である第２端部（ｍ６４）間に直線状にジッパー開封方向に沿って形成され、第３接触点が第２端部よりもジッパー開封方向において前側にあり、
第１端部と第１接触点とが、直線部のジッパー開封方向において前側への仮想延長線である第１仮想延長線（ｅ６６）を介して両側に配置され、
直線部のジッパー開封方向への仮想延長線である第２仮想延長線（ｆ６６）がジッパー開封方向において後側に隣接する他の第１切込みの第１傾斜部と交わり、
第１傾斜部が、第１端部が第１接触点よりもジッパー開封方向において前側に位置するように第１仮想延長線に対して傾斜して形成され、
第２傾斜部の一方の端部である第２接触点は、第２傾斜部の他方の端部である第３接触点よりもジッパー開封方向において前側に位置し、
第１傾斜部の該第１仮想延長線との間の鋭角の角度（α６１）が、第２傾斜部の第３接触点における接線（６４−１’）の該第１仮想延長線との間の鋭角の角度（α６２）より
も大きく形成され、
第１傾斜部の第１接触点からの仮想延長線である第３仮想延長線（６２−１）と、第２傾斜部の第２接触点からの仮想延長線で第２傾斜部と同一曲率の仮想延長線である第４仮想延長線（６４−２）の第３仮想延長線との交点における第４仮想延長線の接線（６４−２’）との間の角度で、第３接触点と第１端部とを結ぶ仮想直線（６８）側の角度（α６３）が直角以下であり、
第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とするカートン用ジッパー。
【手続補正７】
【補正対象書類名】特許請求の範囲
【補正対象項目名】請求項２１
【補正方法】変更
【補正の内容】
【請求項２１】
シート状の紙製ブランクにより形成されたカートンに用いるカートン用ジッパーであって、
第１切れ目線と第２切れ目線とを有し、
第１切れ目線が、複数の第１切込み（４１０、４２０）を間隔を介して列状に配設してなり、
第１切込みが、
第１傾斜部（４１２、４２２）と、第１傾斜部の一方の端部である第１接触点（ｍ１２、ｍ２２）から形成された第２傾斜部（４１４、４２４）と、第２傾斜部の第１接触点とは反対側の端部である第２接触点（ｍ１３、ｍ２３）から形成された第３傾斜部（４１６、４２６）とを有し、第１傾斜部が、第１傾斜部の他方の端部である第１端部（ｍ１１、ｍ２１）と第１接触点間に直線状に形成され、第２傾斜部が、第１接触点と第２接触点間に直線状に形成され、第３傾斜部が、第２接触点と第３傾斜部の第２接触点とは反対側の端部である第２端部（ｍ１４、ｍ２４）間に直線状にジッパー開封方向に対して傾斜して形成され、第２端部がジッパー開封方向の仮想直線で第２接触点を通る仮想直線（ｅ１６’、ｅ２６’）を介して第１接触点とは反対側にあり、第３傾斜部と仮想直線とがなす鋭角（α１６）が、第２傾斜部と仮想直線とがなす鋭角（α１２）よりも小さく形成され、第２接触点が第２端部よりもジッパー開封方向において前側にあり、
第１端部と第１接触点とが、該仮想直線を介して両側に配置され、
第３傾斜部のジッパー開封方向において後側への仮想延長線（ｆ１６、ｆ２６）がジッパー開封方向において後側に隣接する他の第１切込みの第１傾斜部と交わり、
第１傾斜部が、第１端部が第１接触点よりもジッパー開封方向において前側に位置するように仮想直線に対して傾斜して形成され、
第２傾斜部の一方の端部である第１接触点は、第２傾斜部の他方の端部である第２接触点よりもジッパー開封方向において前側に位置し、
第１傾斜部の該仮想直線との間の鋭角の角度（α１１、α２１）が、第２傾斜部の該仮想直線との間の鋭角の角度（α１２、α２２）よりも大きく形成され、
第１傾斜部と第２傾斜部間の角度で、第１端部と第２接触点とを結ぶ第２仮想直線（４１８、４２８）側の角度（α１３、α２３）が直角以下であり、
第２切れ目線が、第１切れ目線との間の中心線を介して対称形状に形成され、第２切れ
目線が、複数の第２切込み（４２０、４１０）を間隔を介して列状に配設してなり、第２切れ目線における各第２切込みが該中心線を介して第１切れ目線における第１切込みと対称形状に形成されていることを特徴とするカートン用ジッパー。
【手続補正８】
【補正対象書類名】特許請求の範囲
【補正対象項目名】請求項２３
【補正方法】変更
【補正の内容】
【請求項２３】
シート状の紙製ブランクにより形成されたカートンに用いるカートン用ジッパーであって、
第１切れ目線と第２切れ目線とを有し、
第１切れ目線が、複数の第１切込み（４１０）を間隔を介して列状に配設してなり、
第１切込みが、
第１傾斜部（４１２）と、第２傾斜部（４１４）と、第３傾斜部（４１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（４１３）と、第２傾斜部の他方の端部である第３接触点（ｍ１３ａ）と直線部の一方の端部である第４接触点（ｍ１３ｂ）間に形成された第２アール部で、第３接触点で第２傾斜部と接するとともに第４接触点で直線部と接する第２アール部（４１５）とを有し、
第１傾斜部が、第１傾斜部の他方の端部である第１端部（ｍ１１）と第１接触点間に直線状に形成され、
第２傾斜部が、第２接触点と第３接触点間に直線状に形成され、
第３傾斜部が、第４接触点と第３傾斜部の第４接触点とは反対側の端部である第２端部（ｍ１４）間に直線状にジッパー開封方向に対して傾斜して形成され、第２端部がジッパー開封方向の仮想直線で、第３傾斜部のジッパー開封方向において前側への仮想延長線である第１仮想延長線（ｇ１６）と第２傾斜部の第３接触点からの第２仮想延長線（ｅ１４）の交点（ｍ１３’）を通る仮想直線（ｅ１６’）を介して第２接触点とは反対側にあり、第１仮想延長線と仮想直線とがなす鋭角（α１６）が、第２仮想延長線と仮想直線とがなす鋭角（α１２）よりも小さく形成され、第４接触点が第２端部よりもジッパー開封方向において前側にあり、
第１端部と第１接触点とが、仮想直線を介して両側に配置され、
第３傾斜部のジッパー開封方向において後側への仮想延長線である第３仮想延長線（ｆ１６）がジッパー開封方向において後側に隣接する他の第１切込みの第１傾斜部と交わり、
第１傾斜部が、第１端部が第１接触点よりもジッパー開封方向において前側に位置するように仮想直線に対して傾斜して形成され、
第２傾斜部の一方の端部である第２接触点は、第２傾斜部の他方の端部である第３接触点よりもジッパー開封方向において前側に位置し、
第１傾斜部の該仮想直線との間の鋭角の角度（α１１）が、第２仮想延長線の該仮想直線との間の鋭角の角度（α１２）よりも大きく形成され、
第１傾斜部と第２傾斜部間の角度で、第１仮想延長線と第２仮想延長線の交点（ｍ１３’）と第１端部とを結ぶ第２仮想直線（４１８）側の角度（α１３）が直角以下であり、
第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とするカートン用ジッパー。
【手続補正９】
【補正対象書類名】特許請求の範囲
【補正対象項目名】請求項２４
【補正方法】変更
【補正の内容】
【請求項２４】
シート状の紙製ブランクにより形成されたカートンに用いるカートン用ジッパーであって、
第１切れ目線と第２切れ目線とを有し、
第１切れ目線が、複数の第１切込み（４１０）を間隔を介して列状に配設してなり、
第１切込みが、
第１傾斜部（４１２）と、第２傾斜部（４１４）と、第３傾斜部（４１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（４１３）とを有し、
第１傾斜部が、第１傾斜部の他方の端部である第１端部（ｍ１１）と第１接触点間に直線状に形成され、
第２傾斜部が、第２接触点と第３接触点間に直線状に形成され、
第３傾斜部が、第２傾斜部の第２接触点とは反対側の端部である第３接触点（ｍ１３）から形成され、第３接触点と第３傾斜部の第３接触点とは反対側の端部である第２端部（ｍ１４）間に直線状にジッパー開封方向に対して傾斜して形成され、第２端部がジッパー開封方向の仮想直線で第３接触点を通る仮想直線（ｅ１６’）を介して第２接触点とは反対側にあり、第３傾斜部と仮想直線とがなす鋭角（α１６）が、第２傾斜部と仮想直線とがなす鋭角（α１２）よりも小さく形成され、第３接触点が第２端部よりもジッパー開封方向において前側にあり、
第１端部と第１接触点とが、該仮想直線を介して両側に配置され、
第３傾斜部のジッパー開封方向において後側への仮想延長線（ｆ１６）がジッパー開封方向において後側に隣接する他の第１切込みの第１傾斜部と交わり、
第１傾斜部が、第１端部が第１接触点よりもジッパー開封方向において前側に位置するように仮想直線に対して傾斜して形成され、
第２傾斜部の一方の端部である第２接触点は、第２傾斜部の他方の端部である第３接触点よりもジッパー開封方向において前側に位置し、
第１傾斜部の該仮想直線との間の鋭角の角度（α１１）が、第２傾斜部の該仮想直線との間の鋭角の角度（α１２）よりも大きく形成され、
第１傾斜部と第２傾斜部間の角度で、第３接触点と第１端部とを結ぶ第２仮想直線（４１８）側の角度（α１３）が直角以下であり、
第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とするカートン用ジッパー。
【手続補正１０】
【補正対象書類名】特許請求の範囲
【補正対象項目名】請求項３１
【補正方法】変更
【補正の内容】
【請求項３１】
シート状の紙製ブランクにより形成されたカートンに用いるカートン用ジッパーであって、
第１切れ目線と第２切れ目線とを有し、
第１切れ目線が、複数の第１切込み（４６０、４７０）を間隔を介して列状に配設してなり、
第１切込みが、
第１傾斜部（４６２、４７２）と、第１傾斜部の一方の端部である第１接触点（ｍ６２、ｍ７２）から形成された第２傾斜部（４６４、４７４）と、第２傾斜部の第１接触点とは反対側の端部である第２接触点（ｍ６３、ｍ７３）から形成された第３傾斜部（４６６
、４７６）とを有し、第１傾斜部が、第１傾斜部の他方の端部である第１端部（ｍ６１、ｍ７１）と第１接触点間に直線状に形成され、第２傾斜部が、第１端部側とは反対側に膨出した円弧状に形成され、第３傾斜部が、第２接触点と第３傾斜部の第２接触点とは反対側の端部である第２端部（ｍ６４、ｍ７４）間に直線状にジッパー開封方向に対して傾斜して形成され、第２端部がジッパー開封方向の仮想直線で第２接触点を通る仮想直線（ｅ１６’、ｅ２６’）を介して第１接触点とは反対側にあり、第３傾斜部と仮想直線とがなす鋭角（α１６）が、第２傾斜部と仮想直線とがなす鋭角（α１２）よりも小さく形成され、第２接触点が第２端部よりもジッパー開封方向において前側にあり、
第１端部と第１接触点とが、該仮想直線を介して両側に配置され、
第３傾斜部のジッパー開封方向への仮想延長線（ｆ６６、ｆ７６）がジッパー開封方向において後側に隣接する他の第１切込みの第１傾斜部と交わり、
第１傾斜部が、第１端部が第１接触点よりもジッパー開封方向において前側に位置するように仮想直線に対して傾斜して形成され、
第２傾斜部の一方の端部である第２接触点は、第２傾斜部の他方の端部である第３接触点よりもジッパー開封方向において前側に位置し、
第１傾斜部の該仮想直線との間の鋭角の角度（α６１、α７１）が、第２傾斜部の第２接触点における接線（４６４−１’、４７４−１’）の該仮想直線との間の鋭角の角度（α６２、α７２）よりも大きく形成され、
第１傾斜部と第２傾斜部間の角度で、第１端部と第２接触点とを結ぶ第２仮想直線（４６８、４７８）側の角度（α６３、α７３）が直角以下であり、
第２切れ目線が、第１切れ目線との間の中心線を介して対称形状に形成され、第２切れ目線が、複数の第２切込み（４７０、４６０）を間隔を介して列状に配設してなり、第２切れ目線における各第２切込みが該中心線を介して第１切れ目線における第１切込みと対称形状に形成されていることを特徴とするカートン用ジッパー。
【手続補正１１】
【補正対象書類名】特許請求の範囲
【補正対象項目名】請求項３３
【補正方法】変更
【補正の内容】
【請求項３３】
シート状の紙製ブランクにより形成されたカートンに用いるカートン用ジッパーであって、
第１切れ目線と第２切れ目線とを有し、
第１切れ目線が、複数の第１切込み（４６０）を間隔を介して列状に配設してなり、
第１切込みが、
第１傾斜部（４６２）と、第２傾斜部（４６４）と、第３傾斜部（４６６）と、第１傾斜部の一方の端部である第１接触点（ｍ６２ａ）と第２傾斜部の一方の端部である第２接触点（ｍ６２ｂ）間に形成されたアール部で、第１接触点で第１傾斜部と接するとともに第２接触点で第２傾斜部と接するアール部（４６３）と、第２傾斜部の他方の端部である第３接触点（ｍ６３ａ）と直線部の一方の端部である第４接触点（ｍ６３ｂ）間に形成された第２アール部で、第３接触点で第２傾斜部と接するとともに第４接触点で直線部と接する第２アール部（４６５）とを有し、
第１傾斜部が、第１傾斜部の他方の端部である第１端部（ｍ６１）と第１接触点間に直線状に形成され、
第２傾斜部が、第２接触点と第３接触点間に第１端部側とは反対側に膨出した円弧状に形成され、
第３傾斜部が、第４接触点と第３傾斜部の第４接触点とは反対側の端部である第２端部（ｍ６４）間に直線状にジッパー開封方向に対して傾斜して形成され、第２端部がジッパー開封方向の仮想直線で、第３傾斜部のジッパー開封方向において前側への仮想延長線である第１仮想延長線（ｇ６６）と第２傾斜部の第３接触点からの仮想延長線で第２傾斜部と同一曲率の仮想延長線である第２仮想延長線（４６４−１）の交点（ｍ６３’）を通る
仮想直線（ｅ６６’）を介して第２接触点とは反対側にあり、第１仮想延長線と仮想直線とがなす鋭角（α６６）が、第２仮想延長線と仮想直線とがなす鋭角（α６２）よりも小さく形成され、第４接触点が第２端部よりもジッパー開封方向において前側にあり、
第１端部と第１接触点とが、仮想直線を介して両側に配置され、
第３傾斜部のジッパー開封方向への仮想延長線である第２仮想延長線（ｆ６６）がジッパー開封方向において後側に隣接する他の第１切込みの第１傾斜部と交わり、
第１傾斜部が、第１端部が第１接触点よりもジッパー開封方向において前側に位置するように仮想直線に対して傾斜して形成され、
第２傾斜部の一方の端部である第２接触点は、第２傾斜部の他方の端部である第３接触点よりもジッパー開封方向において前側に位置し、
第１傾斜部の該仮想直線との間の鋭角の角度（α６１）が、第２仮想延長線（４６４−１）の該仮想直線との交点（ｍ６３’）における第２仮想延長線の接線（４６４−１’）の該仮想直線との間の鋭角の角度（α６２）よりも大きく形成され、
第１傾斜部の第１接触点からの仮想延長線である第３仮想延長線（４６２−１）と、第２傾斜部の第２接触点からの仮想延長線で第２傾斜部と同一曲率の仮想延長線である第４仮想延長線（４６４−２）の第３仮想延長線との交点における第４仮想延長線の接線（４６４−２’）との間の角度で、仮想直線と第２仮想延長線との交点（ｍ６３’）と第１端部とを結ぶ第２仮想直線（４６８）側の角度（α６３）が直角以下であり、
第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とするカートン用ジッパー。
【手続補正１２】
【補正対象書類名】特許請求の範囲
【補正対象項目名】請求項３４
【補正方法】変更
【補正の内容】
【請求項３４】
シート状の紙製ブランクにより形成されたカートンに用いるカートン用ジッパーであって、
第１切れ目線と第２切れ目線とを有し、
第１切れ目線が、複数の第１切込み（４６０）を間隔を介して列状に配設してなり、
第１切込みが、
第１傾斜部（４６２）と、第２傾斜部（４６４）と、第３傾斜部（４６６）と、第１傾斜部の一方の端部である第１接触点（ｍ６２ａ）と第２傾斜部の一方の端部である第２接触点（ｍ６２ｂ）の間に形成されたアール部で、第１接触点で第１傾斜部と接するとともに第２接触点で第２傾斜部と接するアール部（４６３）とを有し、
第１傾斜部が、第１傾斜部の他方の端部である第１端部（ｍ６１）と第１接触点間に直線状に形成され、
第２傾斜部が、第２接触点と第３接触点間に第１端部側とは反対側に膨出した円弧状に形成され、
第３傾斜部が、第２傾斜部の第２接触点とは反対側の端部である第３接触点（ｍ６３）から形成され、第３接触点と直線部の第３接触点とは反対側の端部である第２端部（ｍ６４）間に直線状にジッパー開封方向に対して傾斜して形成され、
第２端部がジッパー開封方向の仮想直線で、第３接触点を通る仮想直線（ｅ６６’）を介して第２接触点とは反対側にあり、第３傾斜部と仮想直線とがなす鋭角（α６６）が、第２傾斜部の第３接触点における接線（４６４−１’）と仮想直線とがなす鋭角（α６２）よりも小さく形成され、第３接触点が第２端部よりもジッパー開封方向において前側にあり、
第１端部と第１接触点とが、該仮想直線を介して両側に配置され、
第３傾斜部のジッパー開封方向への仮想延長線（ｆ６６）がジッパー開封方向において後側に隣接する他の第１切込みの第１傾斜部と交わり、
第１傾斜部が、第１端部が第１接触点よりもジッパー開封方向において前側に位置するように仮想直線に対して傾斜して形成され、
第２傾斜部の一方の端部である第２接触点は、第２傾斜部の他方の端部である第３接触
点よりもジッパー開封方向において前側に位置し、
第１傾斜部の該仮想直線との間の鋭角の角度（α６１）が、第２傾斜部の第３接触点における接線（４６４−１’）の該仮想直線との間の鋭角の角度（α６２）よりも大きく形成され、
第１傾斜部の第１接触点からの仮想延長線である第２仮想延長線（４６２−１）と、第２傾斜部の第２接触点からの仮想延長線で第２傾斜部と同一曲率の仮想延長線である第３仮想延長線（４６４−２）の第３仮想延長線との交点における第４仮想延長線の接線（４６４−２’）との間の角度で、第３接触点と第１端部とを結ぶ第２仮想直線（４６８）側の角度（α６３）が直角以下であり、
第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とするカートン用ジッパー。
【手続補正１３】
【補正対象書類名】明細書
【補正対象項目名】００２３
【補正方法】変更
【補正の内容】
【００２３】
本発明は上記問題点を解決するために創作されたものであって、第１には、シート状の紙製ブランクにより形成されたカートンに用いるカートン用ジッパーであって、第１切れ目線と第２切れ目線とを有し、第１切れ目線が、複数の第１切込み（１０、２０）を間隔を介して列状に配設してなり、第１切込みが、第１傾斜部（１２、２２）と、第１傾斜部の一方の端部である第１接触点（ｍ１２、ｍ２２）から形成された第２傾斜部（１４、２４）と、第２傾斜部の第１接触点とは反対側の端部である第２接触点（ｍ１３、ｍ２３）から形成された直線部（１６、２６）とを有し、第１傾斜部が、第１傾斜部の他方の端部である第１端部（ｍ１１、ｍ２１）と第１接触点間に直線状に形成され、第２傾斜部が、第１接触点と第２接触点の間に直線状に形成され、直線部が、第２接触点と直線部の第２接触点とは反対側の端部である第２端部（ｍ１４）間に直線状にジッパー開封方向（「ジッパー破断方向」としてもよい。他においても同じ）に沿って形成され、第２接触点が第２端部よりもジッパー開封方向において前側にあり、第１端部と第１接触点とが、直線部のジッパー開封方向において前側への仮想延長線である第１仮想延長線（ｅ１６、ｅ２６）を介して両側に配置され、直線部のジッパー開封方向への仮想延長線である第２仮想延長線（ｆ１６、ｆ２６）がジッパー開封方向において後側に隣接する他の第１切込みの第１傾斜部と交わり、第１傾斜部が、第１端部が第１接触点よりもジッパー開封方向において前側に位置するように第１仮想延長線に対して傾斜して形成され、（第２傾斜部の一方の端部である第１接触点は、第２傾斜部の他方の端部である第２接触点よりもジッパー開封方向において前側に位置し、）第１傾斜部の該第１仮想延長線との間の鋭角の角度（α１１、α２１）が、第２傾斜部の該第１仮想延長線との間の鋭角の角度（「第２傾斜部の該第１仮想延長線との間の鋭角の角度で、ジッパー開封方向における前側の角度」としてもよい）（α１２、α２２）よりも大きく形成され、第１傾斜部と第２傾斜部間の角度で、第１端部と第２接触点とを結ぶ仮想直線（１８、２８）側の角度（α１３、α２３）が直角以下であり、第２切れ目線が、第１切れ目線との間の中心線を介して対称形状に形成され、第２切れ目線が、複数の第２切込み（２０、１０）を間隔を介して列状に配設してなり、第２切れ目線における各第２切込みが該中心線を介して第１切れ目線における第１切込みと対称形状に形成されていることを特徴とする。
【手続補正１４】
【補正対象書類名】明細書
【補正対象項目名】００３１
【補正方法】変更
【補正の内容】
【００３１】
また、第３には、シート状の紙製ブランクにより形成されたカートンに用いるカートン用ジッパーであって、第１切れ目線と第２切れ目線とを有し、第１切れ目線が、複数の第１切込み（１０）を間隔を介して列状に配設してなり、第１切込みが、第１傾斜部（１２）と、第２傾斜部（１４）と、直線部（１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（１３）と、第２傾斜部の他方の端部である第３接触点（ｍ１３ａ）と直線部の一方の端部である第４接触点（ｍ１３ｂ）間に形成された第２アール部で、第３接触点で第２傾斜部と接するとともに第４接触点で直線部と接する第２アール部（１５）とを有し、第１傾斜部が、第１傾斜部の他方の端部である第１端部（ｍ１１）と第１接触点間に直線状に形成され、第２傾斜部が、第２接触点と第３接触点間に直線状に形成され、直線部が、第４接触点と直線部の第４接触点とは反対側の端部である第２端部（ｍ１４）間に直線状にジッパー開封方向に沿って形成され、第４接触点が第２端部よりもジッパー開封方向において前側にあり、第１端部と第１接触点とが、直線部のジッパー開封方向において前側への仮想延長線である第１仮想延長線（ｅ１６）を介して両側に配置され、直線部のジッパー開封方向への仮想延長線である第２仮想延長線（ｆ１６）がジッパー開封方向において後側に隣接する他の第１切込みの第１傾斜部と交わり、第１傾斜部が、第１端部が第１接触点よりもジッパー開封方向において前側に位置するように第１仮想延長線に対して傾斜して形成され、第２傾斜部の一方の端部である第２接触点は、第２傾斜部の他方の端部である第３接触点よりもジッパー開封方向において前側に位置し、第１傾斜部の該第１仮想延長線との間の鋭角の角度（α１１）が、第２傾斜部の第３接触点からの第３仮想延長線（ｅ１４）の該第１仮想延長線との間の鋭角の角度（「第２傾斜部の第３接触点からの第３仮想延長線（ｅ１４）の該第１仮想延長線との間の鋭角の角度で、ジッパー開封方向における前側の角度」としてもよい）（α１２）よりも大きく形成され、第１傾斜
部と第２傾斜部間の角度（「第１傾斜部の第１接触点からの仮想延長線と第２傾斜部の第２接触点からの仮想延長線間の角度」としてもよい）で、第１仮想延長線と第３仮想延長線の交点（ｍ１３’）と第１端部とを結ぶ仮想直線（１８）側の角度（α１３）が直角以下であり、第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とする。
【手続補正１５】
【補正対象書類名】明細書
【補正対象項目名】００３７
【補正方法】変更
【補正の内容】
【００３７】
また、第４には、シート状の紙製ブランクにより形成されたカートンに用いるカートン用ジッパーであって、第１切れ目線と第２切れ目線とを有し、第１切れ目線が、複数の第１切込み（１０）を間隔を介して列状に配設してなり、第１切込みが、第１傾斜部（１２）と、第２傾斜部（１４）と、直線部（１６）と、第１傾斜部の一方の端部である第１接触点（ｍ１２ａ）と第２傾斜部の一方の端部である第２接触点（ｍ１２ｂ）間に形成され
たアール部で、第１接触点で第１傾斜部と接するとともに第２接触点で第２傾斜部と接するアール部（１３）とを有し、第１傾斜部が、第１傾斜部の他方の端部である第１端部（ｍ１１）と第１接触点間に直線状に形成され、第２傾斜部が、第２接触点と第３接触点間に直線状に形成され、直線部が、第２傾斜部の第２接触点とは反対側の端部である第３接触点（ｍ１３）から形成され、第３接触点と直線部の第３接触点とは反対側の端部である第２端部（ｍ１４）間に直線状にジッパー開封方向に沿って形成され、第３接触点が第２端部よりもジッパー開封方向において前側にあり、第１端部と第１接触点とが、直線部のジッパー開封方向において前側への仮想延長線である第１仮想延長線（ｅ１６）を介して両側に配置され、直線部のジッパー開封方向への仮想延長線である第２仮想延長線（ｆ１６）がジッパー開封方向において後側に隣接する他の第１切込みの第１傾斜部と交わり、第１傾斜部が、第１端部が第１接触点よりもジッパー開封方向において前側に位置するように第１仮想延長線に対して傾斜して形成され、（第２傾斜部の一方の端部である第２接触点は、第２傾斜部の他方の端部である第３接触点よりもジッパー開封方向において前側に位置し、）第１傾斜部の該第１仮想延長線との間の鋭角の角度（α１１）が、第２傾斜部の該第１仮想延長線との間の鋭角の角度（「第２傾斜部の該第１仮想延長線との間の鋭角の角度で、ジッパー開封方向における前側の角度」としてもよい）（α１２）よりも大きく形成され、第１傾斜部と第２傾斜部間の角度（「第１傾斜部の第１接触点からの仮想延長線と第２傾斜部の第２接触点からの仮想延長線間の角度」としてもよい）で、第３接触点と第１端部とを結ぶ仮想直線（１８）側の角度（α１３）が直角以下であり、第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とする。
【手続補正１６】
【補正対象書類名】明細書
【補正対象項目名】００６７
【補正方法】変更
【補正の内容】
【００６７】
また、第１１には、シート状の紙製ブランクにより形成されたカートンに用いるカートン用ジッパーであって、第１切れ目線と第２切れ目線とを有し、第１切れ目線が、複数の第１切込み（６０、７０）を間隔を介して列状に配設してなり、第１切込みが、第１傾斜部（６２、７２）と、第１傾斜部の一方の端部である第１接触点（ｍ６２、ｍ７２）から形成された第２傾斜部（６４、７４）と、第２傾斜部の第１接触点とは反対側の端部である第２接触点（ｍ６３、ｍ７３）から形成された直線部（６６、７６）とを有し、第１傾斜部が、第１傾斜部の他方の端部である第１端部（ｍ６１、ｍ７１）と第１接触点間に直線状に形成され、第２傾斜部が、第１端部側とは反対側に膨出した円弧状に形成され、直線部が、第２接触点と直線部の第２接触点とは反対側の端部である第２端部（ｍ６４、ｍ７４）間に直線状にジッパー開封方向に沿って形成され、第２接触点が第２端部よりもジッパー開封方向において前側にあり、第１端部と第１接触点とが、直線部のジッパー開封方向において前側への仮想延長線である第１仮想延長線（ｅ６６、ｅ７６）を介して両側に配置され、直線部のジッパー開封方向への仮想延長線である第２仮想延長線（ｆ６６、ｆ７６）がジッパー開封方向において後側に隣接する他の第１切込みの第１傾斜部と交わり、第１傾斜部が、第１端部が第１接触点よりもジッパー開封方向において前側に位置するように第１仮想延長線に対して傾斜して形成され、第２傾斜部の一方の端部である第１接触点は、第２傾斜部の他方の端部である第２接触点よりもジッパー開封方向において前側に位置し、第１傾斜部の該第１仮想延長線との間の鋭角の角度（α６１、α７１）が、第２傾斜部の第２接触点における接線（６４−１’、７４−１’）の該第１仮想延長線と
の間の鋭角の角度（「第２傾斜部の第２接触点における接線（６４−１’、７４−１’）の該第１仮想延長線との間の鋭角の角度で、ジッパー開封方向における前側の角度」としてもよい）（α６２、α７２）よりも大きく形成され、第１傾斜部と第２傾斜部間の角度で、第１端部と第２接触点とを結ぶ仮想直線（６８、７８）側の角度（α６３、α７３）が直角以下であり、第２切れ目線が、第１切れ目線との間の中心線を介して対称形状に形成され、第２切れ目線が、複数の第２切込み（７０、６０）を間隔を介して列状に配設してなり、第２切れ目線における各第２切込みが該中心線を介して第１切れ目線における第１切込みと対称形状に形成されていることを特徴とする。
【手続補正１７】
【補正対象書類名】明細書
【補正対象項目名】００７５
【補正方法】変更
【補正の内容】
【００７５】
また、第１３には、シート状の紙製ブランクにより形成されたカートンに用いるカートン用ジッパーであって、第１切れ目線と第２切れ目線とを有し、第１切れ目線が、複数の第１切込み（６０）を間隔を介して列状に配設してなり、第１切込みが、第１傾斜部（６２）と、第２傾斜部（６４）と、直線部（６６）と、第１傾斜部の一方の端部である第１接触点（ｍ６２ａ）と第２傾斜部の一方の端部である第２接触点（ｍ６２ｂ）間に形成されたアール部で、第１接触点で第１傾斜部と接するとともに第２接触点で第２傾斜部と接するアール部（６３）と、第２傾斜部の他方の端部である第３接触点（ｍ６３ａ）と直線部の一方の端部である第４接触点（ｍ６３ｂ）間に形成された第２アール部で、第３接触点で第２傾斜部と接するとともに第４接触点で直線部と接する第２アール部（６５）とを有し、第１傾斜部が、第１傾斜部の他方の端部である第１端部（ｍ６１）と第１接触点間に直線状に形成され、第２傾斜部が、第２接触点と第３接触点間に第１端部側とは反対側に膨出した円弧状に形成され、直線部が、第４接触点と直線部の第４接触点とは反対側の端部である第２端部（ｍ６４）間に直線状にジッパー開封方向に沿って形成され、第４接触点が第２端部よりもジッパー開封方向において前側にあり、第１端部と第１接触点とが、直線部のジッパー開封方向において前側への仮想延長線である第１仮想延長線（ｅ６６）を介して両側に配置され、直線部のジッパー開封方向への仮想延長線である第２仮想延長線（ｆ６６）がジッパー開封方向において後側に隣接する他の第１切込みの第１傾斜部と交わり、第１傾斜部が、第１端部が第１接触点よりもジッパー開封方向において前側に位置するように第１仮想延長線に対して傾斜して形成され、第２傾斜部の一方の端部である第２接触点は、第２傾斜部の他方の端部である第３接触点よりもジッパー開封方向において前側に位置し、第１傾斜部の該第１仮想延長線との間の鋭角の角度（α６１）が、第２傾斜部の第３接触点からの仮想延長線で第２傾斜部と同一曲率の仮想延長線である第３仮想延長線（６４−１）の該第１仮想延長線との交点（ｍ６３’）における第３仮想延長線の接線（６４−１’）の該第１仮想延長線との間の鋭角の角度（「第２傾斜部の第３接触点からの仮想延長線で第２傾斜部と同一曲率の仮想延長線である第３仮想延長線（６４−１）の該第１仮想延長線との交点（ｍ６３’）における第３仮想延長線の接線（６４−１’）の該第１仮想延長線との間の鋭角の角度で、ジッパー開封方向における前側の角度」としてもよい）（α６２）よりも大きく形成され、第１傾斜部の第１接触点からの仮想延長線である第４仮想延長線（６２−１）と、第２傾斜部の第２接触点からの仮想延長線で第２傾斜部と同一曲率の仮想延長線である第５仮想延長線（６４−２）の第４仮想延長線との交点における第５仮想延長線の接線（６４−２’）との間の角度で、第１仮想延長線と第３仮想延長線との交点（ｍ６３’）と第１端部とを結ぶ仮想直線（６８）側の角度（α６３）が直角以下であり、第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とする。
【手続補正１８】
【補正対象書類名】明細書
【補正対象項目名】００８１
【補正方法】変更
【補正の内容】
【００８１】
また、第１４には、シート状の紙製ブランクにより形成されたカートンに用いるカートン用ジッパーであって、第１切れ目線と第２切れ目線とを有し、第１切れ目線が、複数の第１切込み（６０）を間隔を介して列状に配設してなり、第１切込みが、第１傾斜部（６２）と、第２傾斜部（６４）と、直線部（６６）と、第１傾斜部の一方の端部である第１接触点（ｍ６２ａ）と第２傾斜部の一方の端部である第２接触点（ｍ６２ｂ）の間に形成されたアール部で、第１接触点で第１傾斜部と接するとともに第２接触点で第２傾斜部と接するアール部（６３）とを有し、第１傾斜部が、第１傾斜部の他方の端部である第１端部（ｍ６１）と第１接触点間に直線状に形成され、第２傾斜部が、第２接触点と第３接触点間に第１端部側とは反対側に膨出した円弧状に形成され、直線部が、第２傾斜部の第２
接触点とは反対側の端部である第３接触点（ｍ６３）から形成され、第３接触点と直線部の第３接触点とは反対側の端部である第２端部（ｍ６４）間に直線状にジッパー開封方向に沿って形成され、第３接触点が第２端部よりもジッパー開封方向において前側にあり、第１端部と第１接触点とが、直線部のジッパー開封方向において前側への仮想延長線である第１仮想延長線（ｅ６６）を介して両側に配置され、直線部のジッパー開封方向への仮想延長線である第２仮想延長線（ｆ６６）がジッパー開封方向において後側に隣接する他の第１切込みの第１傾斜部と交わり、第１傾斜部が、第１端部が第１接触点よりもジッパー開封方向において前側に位置するように第１仮想延長線に対して傾斜して形成され、第２傾斜部の一方の端部である第２接触点は、第２傾斜部の他方の端部である第３接触点よりもジッパー開封方向において前側に位置し、第１傾斜部の該第１仮想延長線との間の鋭角の角度（α６１）が、第２傾斜部の第３接触点における接線（６４−１’）の該第１仮想延長線との間の鋭角の角度（「第２傾斜部の第３接触点における接線（６４−１’）の該第１仮想延長線との間の鋭角の角度で、ジッパー開封方向における前側の角度」としてもよい）（α６２）よりも大きく形成され、第１傾斜部の第１接触点からの仮想延長線である第３仮想延長線（６２−１）と、第２傾斜部の第２接触点からの仮想延長線で第２傾斜部と同一曲率の仮想延長線である第４仮想延長線（６４−２）の第３仮想延長線との交点における第４仮想延長線の接線（６４−２’）との間の角度で、第３接触点と第１端部とを結ぶ仮想直線（６８）側の角度（α６３）が直角以下であり、第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とする。
【手続補正１９】
【補正対象書類名】明細書
【補正対象項目名】０１１１
【補正方法】変更
【補正の内容】
【０１１１】
また、第２１には、シート状の紙製ブランクにより形成されたカートンに用いるカートン用ジッパーであって、第１切れ目線と第２切れ目線とを有し、第１切れ目線が、複数の第１切込み（４１０、４２０）を間隔を介して列状に配設してなり、第１切込みが、第１傾斜部（４１２、４２２）と、第１傾斜部の一方の端部である第１接触点（ｍ１２、ｍ２２）から形成された第２傾斜部（４１４、４２４）と、第２傾斜部の第１接触点とは反対側の端部である第２接触点（ｍ１３、ｍ２３）から形成された第３傾斜部（４１６、４２６）とを有し、第１傾斜部が、第１傾斜部の他方の端部である第１端部（ｍ１１、ｍ２１）と第１接触点間に直線状に形成され、第２傾斜部が、第１接触点と第２接触点間に直線状に形成され、第３傾斜部が、第２接触点と第３傾斜部の第２接触点とは反対側の端部である第２端部（ｍ１４、ｍ２４）間に直線状にジッパー開封方向に対して傾斜して形成され、第２端部がジッパー開封方向の仮想直線で第２接触点を通る仮想直線（ｅ１６’、ｅ２６’）を介して第１接触点とは反対側にあり、第３傾斜部と仮想直線とがなす鋭角（α１６）が、第２傾斜部と仮想直線とがなす鋭角（α１２）よりも小さく形成され、第２接触点が第２端部よりもジッパー開封方向において前側にあり、第１端部と第１接触点とが、該仮想直線を介して両側に配置され、第３傾斜部のジッパー開封方向において後側への仮想延長線（ｆ１６、ｆ２６）がジッパー開封方向において後側に隣接する他の第１切込みの第１傾斜部と交わり、第１傾斜部が、第１端部が第１接触点よりもジッパー開封方向において前側に位置するように仮想直線に対して傾斜して形成され、第２傾斜部の一方の端部である第１接触点は、第２傾斜部の他方の端部である第２接触点よりもジッパー開封方向において前側に位置し、第１傾斜部の該仮想直線との間の鋭角の角度（α１１、α２１）が、第２傾斜部の該仮想直線との間の鋭角の角度（α１２、α２２）よりも大きく形成され、第１傾斜部と第２傾斜部間の角度で、第１端部と第２接触点とを結ぶ第２仮想直線（４１８、４２８）側の角度（α１３、α２３）が直角以下であり、第２切れ目線が、第１切れ目線との間の中心線を介して対称形状に形成され、第２切れ目線が、複数の第２切込み（４２０、４１０）を間隔を介して列状に配設してなり、第２切れ目線における各第２切込みが該中心線を介して第１切れ目線における第１切込みと対称形状に形成されていることを特徴とする。
【手続補正２０】
【補正対象書類名】明細書
【補正対象項目名】０１２０
【補正方法】変更
【補正の内容】
【０１２０】
また、第２３には、シート状の紙製ブランクにより形成されたカートンに用いるカートン用ジッパーであって、第１切れ目線と第２切れ目線とを有し、第１切れ目線が、複数の第１切込み（４１０）を間隔を介して列状に配設してなり、第１切込みが、第１傾斜部（４１２）と、第２傾斜部（４１４）と、第３傾斜部（４１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（４１３）と、第２傾斜部の他方の端部である第３接触点（ｍ１３ａ）と直線部の一方の端部である第４接触点（ｍ１３ｂ）間に形成された第２アール
部で、第３接触点で第２傾斜部と接するとともに第４接触点で直線部と接する第２アール部（４１５）とを有し、第１傾斜部が、第１傾斜部の他方の端部である第１端部（ｍ１１）と第１接触点間に直線状に形成され、第２傾斜部が、第２接触点と第３接触点間に直線状に形成され、第３傾斜部が、第４接触点と第３傾斜部の第４接触点とは反対側の端部である第２端部（ｍ１４）間に直線状にジッパー開封方向に対して傾斜して形成され、第２端部がジッパー開封方向の仮想直線で、第３傾斜部のジッパー開封方向において前側への仮想延長線である第１仮想延長線（ｇ１６）と第２傾斜部の第３接触点からの第２仮想延長線（ｅ１４）の交点（ｍ１３’）を通る仮想直線（ｅ１６’）を介して第２接触点とは反対側にあり、第１仮想延長線と仮想直線とがなす鋭角（α１６）が、第２仮想延長線と仮想直線とがなす鋭角（α１２）よりも小さく形成され、第４接触点が第２端部よりもジッパー開封方向において前側にあり、第１端部と第１接触点とが、仮想直線を介して両側に配置され、第３傾斜部のジッパー開封方向において後側への仮想延長線である第３仮想延長線（ｆ１６）がジッパー開封方向において後側に隣接する他の第１切込みの第１傾斜部と交わり、第１傾斜部が、第１端部が第１接触点よりもジッパー開封方向において前側に位置するように仮想直線に対して傾斜して形成され、第２傾斜部の一方の端部である第２接触点は、第２傾斜部の他方の端部である第３接触点よりもジッパー開封方向において前側に位置し、第１傾斜部の該仮想直線との間の鋭角の角度（α１１）が、第２仮想延長線の該仮想直線との間の鋭角の角度（「第２仮想延長線の該仮想直線との間の鋭角の角度で、ジッパー開封方向における前側の角度」としてもよい）（α１２）よりも大きく形成され、第１傾斜部と第２傾斜部間の角度（「第１傾斜部の第１接触点からの仮想延長線と第２傾斜部の第２接触点からの仮想延長線間の角度」としてもよい）で、第１仮想延長線と第２仮想延長線の交点（ｍ１３’）と第１端部とを結ぶ第２仮想直線（４１８）側の角度（α１３）が直角以下であり、第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とする。
【手続補正２１】
【補正対象書類名】明細書
【補正対象項目名】０１２７
【補正方法】変更
【補正の内容】
【０１２７】
また、第２４には、シート状の紙製ブランクにより形成されたカートンに用いるカートン用ジッパーであって、第１切れ目線と第２切れ目線とを有し、第１切れ目線が、複数の第１切込み（４１０）を間隔を介して列状に配設してなり、第１切込みが、第１傾斜部（４１２）と、第２傾斜部（４１４）と、第３傾斜部（４１６）と、第１傾斜部の一方の端部である第１接触点（ｍ１２ａ）と第２傾斜部の一方の端部である第２接触点（ｍ１２ｂ）間に形成されたアール部で、第１接触点で第１傾斜部と接するとともに第２接触点で第２傾斜部と接するアール部（４１３）とを有し、第１傾斜部が、第１傾斜部の他方の端部である第１端部（ｍ１１）と第１接触点間に直線状に形成され、第２傾斜部が、第２接触点と第３接触点間に直線状に形成され、第３傾斜部が、第２傾斜部の第２接触点とは反対側の端部である第３接触点（ｍ１３）から形成され、第３接触点と第３傾斜部の第３接触点とは反対側の端部である第２端部（ｍ１４）間に直線状にジッパー開封方向に対して傾斜して形成され、第２端部がジッパー開封方向の仮想直線で第３接触点を通る仮想直線（ｅ１６’）を介して第２接触点とは反対側にあり、第３傾斜部と仮想直線とがなす鋭角（α１６）が、第２傾斜部と仮想直線とがなす鋭角（α１２）よりも小さく形成され、第３接触点が第２端部よりもジッパー開封方向において前側にあり、第１端部と第１接触点とが、該仮想直線を介して両側に配置され、第３傾斜部のジッパー開封方向において後側への仮想延長線（ｆ１６）がジッパー開封方向において後側に隣接する他の第１切込みの第１傾斜部と交わり、第１傾斜部が、第１端部が第１接触点よりもジッパー開封方向において前側に位置するように仮想直線に対して傾斜して形成され、（第２傾斜部の一方の端部である第２接触点は、第２傾斜部の他方の端部である第３接触点よりもジッパー開封方向において前側に位置し、）第１傾斜部の該仮想直線との間の鋭角の角度（α１１）が、第２傾斜部の該仮想直線との間の鋭角の角度（「第２傾斜部の該仮想直線との間の鋭角の角度で、ジッパー開封方向における前側の角度」としてもよい）（α１２）よりも大きく形成され、第１傾斜部と第２傾斜部間の角度（「第１傾斜部の第１接触点からの仮想延長線と第２傾斜部の第２接触点からの仮想延長線間の角度」としてもよい）で、第３接触点と第１端部とを結ぶ第２仮想直線（４１８）側の角度（α１３）が直角以下であり、第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とする。
【手続補正２２】
【補正対象書類名】明細書
【補正対象項目名】０１６１
【補正方法】変更
【補正の内容】
【０１６１】
また、第３１には、シート状の紙製ブランクにより形成されたカートンに用いるカートン用ジッパーであって、第１切れ目線と第２切れ目線とを有し、第１切れ目線が、複数の第１切込み（４６０、４７０）を間隔を介して列状に配設してなり、第１切込みが、第１傾斜部（４６２、４７２）と、第１傾斜部の一方の端部である第１接触点（ｍ６２、ｍ７２）から形成された第２傾斜部（４６４、４７４）と、第２傾斜部の第１接触点とは反対側の端部である第２接触点（ｍ６３、ｍ７３）から形成された第３傾斜部（４６６、４７６）とを有し、第１傾斜部が、第１傾斜部の他方の端部である第１端部（ｍ６１、ｍ７１）と第１接触点間に直線状に形成され、第２傾斜部が、第１端部側とは反対側に膨出した円弧状に形成され、第３傾斜部が、第２接触点と第３傾斜部の第２接触点とは反対側の端部である第２端部（ｍ６４、ｍ７４）間に直線状にジッパー開封方向に対して傾斜して形成され、第２端部がジッパー開封方向の仮想直線で第２接触点を通る仮想直線（ｅ１６’、ｅ２６’）を介して第１接触点とは反対側にあり、第３傾斜部と仮想直線とがなす鋭角（α１６）が、第２傾斜部と仮想直線とがなす鋭角（α１２）よりも小さく形成され、第２接触点が第２端部よりもジッパー開封方向において前側にあり、第１端部と第１接触点とが、該仮想直線を介して両側に配置され、第３傾斜部のジッパー開封方向への仮想延長線（ｆ６６、ｆ７６）がジッパー開封方向において後側に隣接する他の第１切込みの第１傾斜部と交わり、第１傾斜部が、第１端部が第１接触点よりもジッパー開封方向において前側に位置するように仮想直線に対して傾斜して形成され、第２傾斜部の一方の端部である第２接触点は、第２傾斜部の他方の端部である第３接触点よりもジッパー開封方向において前側に位置し、第１傾斜部の該仮想直線との間の鋭角の角度（α６１、α７１）が、第２傾斜部の第２接触点における接線（４６４−１’、４７４−１’）の該仮想直線との間の鋭角の角度（「第２傾斜部の第２接触点における接線（４６４−１’、４７４−１’）の該仮想直線との間の鋭角の角度で、ジッパー開封方向における前側の角度」としてもよい）（α６２、α７２）よりも大きく形成され、第１傾斜部と第２傾斜部間の角度で、
第１端部と第２接触点とを結ぶ第２仮想直線（４６８、４７８）側の角度（α６３、α７３）が直角以下であり、第２切れ目線が、第１切れ目線との間の中心線を介して対称形状に形成され、第２切れ目線が、複数の第２切込み（４７０、４６０）を間隔を介して列状に配設してなり、第２切れ目線における各第２切込みが該中心線を介して第１切れ目線における第１切込みと対称形状に形成されていることを特徴とする。
【手続補正２３】
【補正対象書類名】明細書
【補正対象項目名】０１７０
【補正方法】変更
【補正の内容】
【０１７０】
また、第３３には、シート状の紙製ブランクにより形成されたカートンに用いるカートン用ジッパーであって、第１切れ目線と第２切れ目線とを有し、第１切れ目線が、複数の第１切込み（４６０）を間隔を介して列状に配設してなり、第１切込みが、第１傾斜部（４６２）と、第２傾斜部（４６４）と、第３傾斜部（４６６）と、第１傾斜部の一方の端部である第１接触点（ｍ６２ａ）と第２傾斜部の一方の端部である第２接触点（ｍ６２ｂ）間に形成されたアール部で、第１接触点で第１傾斜部と接するとともに第２接触点で第２傾斜部と接するアール部（４６３）と、第２傾斜部の他方の端部である第３接触点（ｍ６３ａ）と直線部の一方の端部である第４接触点（ｍ６３ｂ）間に形成された第２アール部で、第３接触点で第２傾斜部と接するとともに第４接触点で直線部と接する第２アール部（４６５）とを有し、第１傾斜部が、第１傾斜部の他方の端部である第１端部（ｍ６１）と第１接触点間に直線状に形成され、第２傾斜部が、第２接触点と第３接触点間に第１端部側とは反対側に膨出した円弧状に形成され、第３傾斜部が、第４接触点と第３傾斜部の第４接触点とは反対側の端部である第２端部（ｍ６４）間に直線状にジッパー開封方向に対して傾斜して形成され、第２端部がジッパー開封方向の仮想直線で、第３傾斜部のジッパー開封方向において前側への仮想延長線である第１仮想延長線（ｇ６６）と第２傾斜部の第３接触点からの仮想延長線で第２傾斜部と同一曲率の仮想延長線である第２仮想延長線（４６４−１）の交点（ｍ６３’）を通る仮想直線（ｅ６６’）を介して第２接触点とは反対側にあり、第１仮想延長線と仮想直線とがなす鋭角（α６６）が、第２仮想延長線と仮想直線とがなす鋭角（α６２）よりも小さく形成され、第４接触点が第２端部よりもジッパー開封方向において前側にあり、第１端部と第１接触点とが、仮想直線を介して両側に配置され、第３傾斜部のジッパー開封方向への仮想延長線である第２仮想延長線（ｆ６６）がジッパー開封方向において後側に隣接する他の第１切込みの第１傾斜部と交わり、第１傾斜部が、第１端部が第１接触点よりもジッパー開封方向において前側に位置するように仮想直線に対して傾斜して形成され、第２傾斜部の一方の端部である第２接触点は、第２傾斜部の他方の端部である第３接触点よりもジッパー開封方向において前側に位置し、第１傾斜部の該仮想直線との間の鋭角の角度（α６１）が、第２仮想延長線（４６４−１）の該仮想直線との交点（ｍ６３’）における第２仮想延長線の接線（４６４−１’）の該第１仮想延長線との間の鋭角の角度（「第２仮想延長線（４６４−１）の該仮想直線との交点（ｍ６３’）における第２仮想延長線の接線（４６４−１’）の該第仮想直線との間の鋭角の角度で、ジッパー開封方向における前側の角度」としてもよい）（α６２）よりも大きく形成され、第１傾斜部の第１接触点からの仮想延長線である第３仮想延長線（４６２−１）と、第２傾斜部の第２接触点からの仮想延長線で第２傾斜部と同一曲率の仮想延長線である第４仮想延長線（４６４−２）の第３仮想延長線との交点における第４仮想延長線の接線（４６４−２’）との間の角度で、仮想直線と第２仮想延長線との交点（ｍ６３’���と第１端部とを結ぶ第２仮想直線（４６８）側の角度（α６３）が直角以下であり、第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とする。
【手続補正２４】
【補正対象書類名】明細書
【補正対象項目名】０１７７
【補正方法】変更
【補正の内容】
【０１７７】
また、第３４には、シート状の紙製ブランクにより形成されたカートンに用いるカートン用ジッパーであって、第１切れ目線と第２切れ目線とを有し、第１切れ目線が、複数の第１切込み（４６０）を間隔を介して列状に配設してなり、第１切込みが、第１傾斜部（４６２）と、第２傾斜部（４６４）と、第３傾斜部（４６６）と、第１傾斜部の一方の端部である第１接触点（ｍ６２ａ）と第２傾斜部の一方の端部である第２接触点（ｍ６２ｂ）の間に形成されたアール部で、第１接触点で第１傾斜部と接するとともに第２接触点で第２傾斜部と接するアール部（４６３）とを有し、第１傾斜部が、第１傾斜部の他方の端部である第１端部（ｍ６１）と第１接触点間に直線状に形成され、第２傾斜部が、第２接触点と第３接触点間に第１端部側とは反対側に膨出した円弧状に形成され、第３傾斜部が、第２傾斜部の第２接触点とは反対側の端部である第３接触点（ｍ６３）から形成され、第３接触点と直線部の第３接触点とは反対側の端部である第２端部（ｍ６４）間に直線状にジッパー開封方向に対して傾斜して形成され、第２端部がジッパー開封方向の仮想直線で、第３接触点を通る仮想直線（ｅ６６’）を介して第２接触点とは反対側にあり、第３傾斜部と仮想直線とがなす鋭角（α６６）が、第２傾斜部の第３接触点における接線（４６４−１’）と仮想直線とがなす鋭角（α６２）よりも小さく形成され、第３接触点が第２端部よりもジッパー開封方向において前側にあり、第１端部と第１接触点とが、該仮想直線を介して両側に配置され、第３傾斜部のジッパー開封方向への仮想延長線（ｆ６６）がジッパー開封方向において後側に隣接する他の第１切込みの第１傾斜部と交わり、第１傾斜部が、第１端部が第１接触点よりもジッパー開封方向において前側に位置するように仮想直線に対して傾斜して形成され、第２傾斜部の一方の端部である第２接触点は、第２傾斜部の他方の端部である第３接触点よりもジッパー開封方向において前側に位置し、第１傾斜部の該仮想直線との間の鋭角の角度（α６１）が、第２傾斜部の第３接触点における接線（４６４−１’）の該仮想直線との間の鋭角の角度（「第２傾斜部の第３接触点における接線（４６４−１’）の該第１仮想延長線との間の鋭角の角度で、ジッパー開封方向における前側の角度」としてもよい）（α６２）よりも大きく形成され、第１傾斜部の第１接触点からの仮想延長線である第２仮想延長線（４６２−１）と、第２傾斜部の第２接触点からの仮想延長線で第２傾斜部と同一曲率の仮想延長線である第３仮想延長線（４６４−２）の第３仮想延長線との交点における第４仮想延長線の接線（４６４−２’）との間の角度で、第３接触点と第１端部とを結ぶ第２仮想直線（４６８）側の角度（α６３）が直角以下であり、第２切れ目線が、第１切れ目線との間の中心線を介して対称形状に形成され、第２切れ目線が、複数の第２切込みを間隔を介して列状に配設してなり、第２切れ目線における各第２切込みが該中心線を介して第１切れ目線における第１切込みと対称形状に形成されていることを特徴とする。